(57)【要約】【課題】ユーザがＶＯＤサービスの所望のコンテンツを選択することを支援することができるテレビ放送受信機を提供する。【解決手段】インターネット接続機能を有するテレビ放送受信機であって、ＶＯＤサービスで提供されているコンテンツであって、尚かつ、現在視聴中のテレビ放送番組と同一又は類似のコンテンツに関する情報を表示するための表示信号を生成する表示信号生成部（ステップＳ１０〜Ｓ９０参照）を備えるテレビ放送受信機。【選択図】図２
2011171822.tif 000002
【特許請求の範囲】
【請求項１】
インターネット接続機能を有するテレビ放送受信機において、
ＶＯＤサービスで提供されているコンテンツであって、尚かつ、現在視聴中のテレビ放送番組と同一又は類似のコンテンツに関する情報を表示するための表示信号を生成する表示信号生成部を備えることを特徴とするテレビ放送受信機。
【請求項２】
前記ＶＯＤサービスで提供されているコンテンツであって、尚かつ、現在視聴中のテレビ放送番組と同一又は類似のコンテンツの中から、一つのコンテンツを選択する選択部と、
前記選択部によって選択されたコンテンツを再生するコンテンツ再生部とを備える請求項１に記載のテレビ放送受信機。
【請求項３】
前記表示信号生成部が、
前記現在視聴中のテレビ放送番組のタイトル及び／又は出演者情報を取得するテレビ放送番組情報取得部と、
前記ＶＯＤサービスで提供されているコンテンツの中から、前記テレビ放送番組情報取得部によって取得された前記現在視聴中のテレビ放送番組のタイトル及び／又は出演者情報と同一のタイトル及び／又は出演者情報のコンテンツを検索する検索部と、
前記検索部の検索により抽出されたコンテンツに関する情報を取得するコンテンツ情報取得部とを有する請求項１または請求項２に記載のテレビ放送受信機。
【請求項４】
前記表示信号生成部が、
前記現在視聴中のテレビ放送番組のタイトル及び／又は出演者情報を取得するテレビ放送番組情報取得部と、
前記テレビ放送番組情報取得部によって取得された前記現在視聴中のテレビ放送番組のタイトル及び／又は出演者情報を、前記ＶＯＤサービスを提供するコンテンツプロバイダのサーバにインターネットを介して送信する送信部と、
前記取得部によって取得された前記現在視聴中のテレビ放送番組のタイトル及び／又は出演者情報と同一のタイトル及び／又は出演者情報のコンテンツに関する情報を、前記サーバからインターネットを介して受信する受信部とを有する請求項１または請求項２に記載のテレビ放送受信機。
【請求項５】
コマーシャルを検出する機能を備え、
前記現在視聴中のテレビ放送番組のコマーシャルの映像信号にのみ前記表示信号を重畳し、前記現在視聴中のテレビ放送番組本体の映像信号には前記表示信号を重畳しない請求項１〜４のいずれか１項に記載のテレビ放送受信機。
【請求項６】
前記コンテンツに関する情報が複数の項目によって構成されており、
前記表示信号が、現在視聴中のテレビ放送番組と同一又は類似のコンテンツに関する情報を前記複数の項目中の特定項目に基づく並び順でリスト表示するための信号である請求項１〜５のいずれか１項に記載のテレビ放送受信機。
【発明の詳細な説明】
【技術分野】
【０００１】
本発明は、テレビ放送受信機に関し、特にインターネット接続機能を有し、インターネットを経由して取得したＶＯＤ（Video On Demand）サービスのコンテンツを再生することができるテレビ放送受信機に関する。なお、テレビ放送受信機には、テレビ受像機のみならず、テレビ受像機とは異なりモニタを有さないＳＴＢ（Set Top Box）や、テレビ受像機とは異なりテレビ放送受信の専用機器ではない電気機器（例えば、テレビチューナを内蔵するパーソナルコンピュータ）等も含まれる。
【背景技術】
【０００２】
通常のテレビ受信機能に加え、インターネット接続機能を有し、インターネットを経由して取得したＶＯＤサービスのコンテンツを再生することができるテレビ放送受信機が、既に実用化されている。
【０００３】
上記のＶＯＤサービスは、特定のコンテンツプロバイダが提供するものであって（例えば特許文献１参照）、原則として有料の視聴形態をとるものである。その料金制度は、年額又は月額定額制、あるいは、ペイ・パー・ビューと呼ばれるコンテンツ単位での課金制が一般的である。また、各コンテンツプロバイダが提供する各ＶＯＤサービスはそれぞれ特徴的なコンテンツを有している。そして、同一のテレビ放送受信機が、コンテンツプロバイダがそれぞれ異なる複数のＶＯＤサービスを受けることも可能である。
【先行技術文献】
【特許文献】
【０００４】
【特許文献１】特表平９−５０６２２６号公報（第２５〜２６頁）
【発明の概要】
【発明が解決しようとする課題】
【０００５】
ユーザは、テレビ放送番組を番組の途中から視聴し始めた場合に、その番組を初めから視聴したいという要望を持つことがある。また、ユーザは、低解像度で放送されることが多いテレビ放送番組ではなく、より高い解像度で同じコンテンツを視聴したいという要望を持つことがある。また、ユーザは、多くの場合はコマーシャルが挿入されるテレビ放送番組ではなく、コマーシャルが挿入されない状態で同じコンテンツを視聴したいという要望を持つことがある。
【０００６】
ところが、現在視聴しているテレビ放送番組と同一又は類似のコンテンツがＶＯＤサービスで提供されている可能性があり、現在視聴しているテレビ放送番組を視聴する代わりに当該コンテンツを視聴することによって上記の要望を満たすことができるかもしれないにもかかわらず、ユーザには、当該コンテンツがＶＯＤサービスで提供されているか否かを容易に知るすべがなかった。
【０００７】
本発明は、上記の状況に鑑み、ユーザがＶＯＤサービスの所望のコンテンツを選択することを支援することができるテレビ放送受信機を提供することを目的とする。
【課題を解決するための手段】
【０００８】
上記目的を達成するために本発明に係るテレビ放送受信機は、インターネット接続機能を有するテレビ放送受信機において、ＶＯＤサービスで提供されているコンテンツであって、尚かつ、現在視聴中のテレビ放送番組と同一又は類似のコンテンツに関する情報を表示するための表示信号を生成する表示信号生成部を備える構成（第１の構成）とする。
【０００９】
また、上記第１の構成のテレビ放送受信機において、前記ＶＯＤサービスで提供されているコンテンツであって、尚かつ、現在視聴中のテレビ放送番組と同一又は類似のコンテンツの中から、一つのコンテンツを選択する選択部と、前記選択部によって選択されたコンテンツを再生するコンテンツ再生部とを備える構成（第２の構成）としてもよい。
【００１０】
また、上記第１または第２の構成のテレビ放送受信機において、前記表示信号生成部が、前記現在視聴中のテレビ放送番組のタイトル及び／又は出演者情報を取得するテレビ放送番組情報取得部と、前記ＶＯＤサービスで提供されているコンテンツの中から、前記テレビ放送番組情報取得部によって取得された前記現在視聴中のテレビ放送番組のタイトル及び／又は出演者情報と同一のタイトル及び／又は出演者情報のコンテンツを検索する検索部と、前記検索部の検索により抽出されたコンテンツに関する情報を取得するコンテンツ情報取得部とを有する構成（第３の構成）としてもよい。なお、タイトルの同一は、完全一致としてもよく、部分一致としてもよい。同様に、出演者情報の同一は、完全一致としてもよく、部分一致としてもよい。
【００１１】
また、上記第１または第２の構成のテレビ放送受信機において、前記表示信号生成部が、前記現在視聴中のテレビ放送番組のタイトル及び／又は出演者情報を取得するテレビ放送番組情報取得部と、前記テレビ放送番組情報取得部によって取得された前記現在視聴中のテレビ放送番組のタイトル及び／又は出演者情報を、前記ＶＯＤサービスを提供するコンテンツプロバイダのサーバにインターネットを介して送信する送信部と、前記取得部によって取得された前記現在視聴中のテレビ放送番組のタイトル及び／又は出演者情報と同一のタイトル及び／又は出演者情報のコンテンツに関する情報を、前記サーバからインターネットを介して受信する受信部とを有する構成（第４の構成）としてもよい。なお、タイトルの同一は、完全一致としてもよく、部分一致としてもよい。同様に、出演者情報の同一は、完全一致としてもよく、部分一致としてもよい。
【００１２】
また、上記第１〜第４のいずれかの構成のテレビ放送受信機において、コマーシャルを検出する機能を備え、前記現在視聴中のテレビ放送番組のコマーシャルの映像信号にのみ前記表示信号を重畳し、前記現在視聴中のテレビ放送番組本体の映像信号には前記表示信号を重畳しない構成（第５の構成）としてもよい。
【００１３】
また、上記第１〜第５のいずれかの構成のテレビ放送受信機において、前記コンテンツに関する情報が複数の項目によって構成されており、前記表示信号が、現在視聴中のテレビ放送番組と同一又は類似のコンテンツに関する情報を前記複数の項目中の特定項目に基づく並び順でリスト表示するための信号であるようにしてもよい。
【発明の効果】
【００１４】
本発明に係るテレビ放送受信機によると、ＶＯＤサービスで提供されているコンテンツであって、尚かつ、現在視聴中のテレビ放送番組と同一又は類似のコンテンツに関する情報を表示するための表示信号が生成されるので、現在視聴中のテレビ放送番組にとってかわるＶＯＤサービスのコンテンツ、すなわち、現在視聴中のテレビ放送番組と同一又は類似のコンテンツの選択を支援することができる。したがって、本発明に係るテレビ放送受信機は、ユーザがＶＯＤサービスの所望のコンテンツを選択することを支援することができる。
【図面の簡単な説明】
【００１５】
【図１】本発明の第１実施形態に係るテレビ受像機の構成を示す図である。
【図２】本発明の第１実施形態に係るテレビ受像機の動作を示すフローチャートである。
【図３】本発明の第１実施形態に係るテレビ受像機が備えるディスプレイの表示画面例を示す図である。
【図４】本発明の第２実施形態に係るテレビ受像機の動作を示すフローチャートである。
【発明を実施するための形態】
【００１６】
本発明の実施形態について図面を参照して以下に説明する。本発明に係るテレビ放送受信機として、ここでは、テレビ受像機を例に挙げて説明する。
【００１７】
＜第１実施形態＞
まず、本発明の第１実施形態に係るテレビ受像機について説明する。本発明の第１実施形態に係るテレビ受像機の構成を図１に示す。本発明の第１実施形態に係るテレビ受像機は、チューナ部１と、映像・音声処理部２と、ＯＳＤ出力部３と、表示デバイス４と、音声出力部５と、制御プログラムや映像、音声、その他のデータを記憶するメモリ６と、テレビ受像機全体を制御するＣＰＵ７と、リモコン送信機から送信される信号を入力するリモコンＩ／Ｆ８と、インターネットに接続するためのネットワークＩ／Ｆ９と、ディスプレイ１０と、スピーカ１１と、バス１２とを備えている。チューナ部１、映像・音声処理部２、ＯＳＤ出力部３、表示デバイス４、音声出力部５、メモリ６、リモコンＩ／Ｆ８、及びネットワークＩ／Ｆ９はそれぞれバス１２を介してＣＰＵ７に接続されている。
【００１８】
ユーザが電源ＯＦＦ状態である本発明の第１実施形態に係るテレビ受像機にリモコン送信機（不図示）を向けた状態でリモコン送信機（不図示）の電源キーを押下することにより、リモコン送信機（不図示）から電源ＯＦＦ状態である本発明の第１実施形態に係るテレビ受像機に電源切換信号が送信される。これにより、リモコンＩ／Ｆ８が電源切換信号を入力し、本発明の第１実施形態に係るテレビ受像機が電源ＯＮ状態になる。
【００１９】
そして、電源ＯＮ状態になると、ＣＰＵ７が、メモリ６に記憶されている制御プログラムに従って、以下の動作を実行させる。
【００２０】
チューナ部１は、入力したテレビ放送信号の中から、設定されたアナログチャンネルまたはデジタルチャンネルに対応するチャンネル周波数のテレビ放送信号を選局し、その選局した信号をダウンコンバートして映像・音声処理部２に出力する。なお、ユーザがリモコン送信機（不図示）のキー操作により選局チャンネルを切り換えた場合、リモコンＩ／Ｆ８が選局チャンネルの切り換えに関する信号を入力し、リモコンＩ／Ｆ８が入力した信号に基づいて、ＣＰＵ７がチューナ部１の選局を変更させる。
【００２１】
映像・音声処理部２は、チューナ部１の出力信号から映像信号と音声信号を生成し、当該映像信号を表示デバイス４に出力し、当該音声信号を音声出力部５に出力する。また、映像・音声処理部２は、ＶＯＤサービスを提供するコンテンツプロバイダのサーバ（不図示）から送信されネットワークＩ／Ｆ９によって受信されメモリ６にバッファリングされるストリーミングデータを映像・音声処理して映像信号と音声信号を生成し、当該映像信号を表示デバイス４に出力し、当該音声信号を音声出力部５に出力する。
【００２２】
ＯＳＤ出力部３は、ＣＰＵ７からの指示に基づいてＯＳＤ信号を生成し、当該ＯＳＤ信号を表示デバイス４に出力する。
【００２３】
表示デバイス４は、映像・音声処理部２から出力される映像信号、ＯＳＤ出力部３から出力されるＯＳＤ信号、又は、映像・音声処理部２から出力される映像信号にＯＳＤ出力部３から出力されるＯＳＤ信号を重畳した信号を、ディスプレイ１０及び／又は外部映像出力端子（不図示）に出力する。
【００２４】
音声出力部５は、映像・音声処理部２から出力される音声信号をそのまま又は増幅などの処理を施した後、スピーカ１１及び／又は外部音声出力端子（不図示）に出力する。
【００２５】
次に、本発明の第１実施形態に係るテレビ受像機の特徴的な動作、すなわち、現在視聴中のテレビ放送番組と同一又は類似のコンテンツがＶＯＤサービスで提供されているかを検索し、その検索結果をＯＳＤ表示し、そのコンテンツを視聴するまでの動作について図２を示すフローチャートを参照して説明する。
【００２６】
電源投入時、視聴チャンネル変更時、及び、同一視聴チャンネルでの番組切り替わり時のそれぞれにおいて、図２に示すフローチャートが開始される。なお、同一視聴チャンネルでの番組切り替わりは、例えば時計機能を有するＣＰＵ７が電子番組表（ＥＰＧ）に基づいて判断することができ、また例えば視聴チャンネルがアナログチャンネルであればＣＰＵ７がチューナ部１によって選局されたテレビ放送信号に含まれる番組タイトルデータに基づいて判断することができる。電子番組表のデータは、チューナ部１に入力されるテレビ放送信号から取得してメモリ６に記憶してもよく、ネットワークＩ／Ｆ９経由で電子番組表のデータを提供しているサーバ（不図示）から取得してメモリ６に記憶してもよい。
【００２７】
ステップＳ１０では、予め決められたチャンネル設定、あるいは、ユーザの選択したチャンネル設定に基づいてテレビ放送番組を受信し、受信したテレビ放送番組の映像と音声を出力する。その後、ステップＳ２０へと進む。
【００２８】
ステップＳ２０では、現在視聴中のテレビ放送番組の番組タイトルデータの取得を試みる。取得ができなければ（ステップＳ２０のＮＯ）、ステップＳ２０にとどまり、取得ができれば（ステップＳ２０のＹＥＳ）、次のステップＳ３０へと進む。なお、番組タイトルデータの取得方法としては、例えば時計機能を有するＣＰＵ７が電子番組表（ＥＰＧ）から現在視聴中のテレビ放送番組の番組タイトルデータを取得する方法、また例えば視聴チャンネルがアナログチャンネルであればＣＰＵ７がチューナ部１によって選局されたテレビ放送信号に含まれる番組タイトルデータを取得する方法などが考えられる。
【００２９】
ステップＳ３０では、変数Ｎを１に初期化し、次のステップＳ４０に進む。なお、変数Ｎは、ＶＯＤサービスで提供されている何番目のコンテンツを現在参照しているかを表すものであり、メモリ６に記憶されている。
【００３０】
ステップＳ４０では、ＶＯＤサービスで提供されているＮ番目のコンテンツのタイトルをネットワークＩ／Ｆ９経由でＶＯＤサービスを提供するコンテンツプロバイダのサーバ（不図示）から取得して、次のステップＳ５０に進む。なお、ＶＯＤサービスは、単一のＶＯＤサービスであっても、複数のＶＯＤサービスであっても構わない。
【００３１】
ステップＳ５０では、ステップＳ４０で取得したＮ番目のコンテンツのタイトルが、現在視聴中のテレビ放送番組のタイトルと同一であるか否かを判定する。同一であれば（ステップＳ５０のＹＥＳ）、ステップＳ６０へ進み、同一でなければ（ステップＳ５０のＮＯ）、ステップＳ８０へと進む。ステップＳ５０における同一であるか否かの判定は、文字列が厳密に一致する場合だけではなく、文字列が部分的に一致すれば同一であると判定しても構わない。
【００３２】
ステップＳ６０では、Ｎ番目のコンテンツについて、コンテンツ長、画質、値段、コンテンツプロバイダ名、及びコメントの情報をネットワークＩ／Ｆ９経由でＶＯＤサービスを提供するコンテンツプロバイダのサーバ（不図示）から取得して、次のステップＳ７０へと進む。
【００３３】
ステップＳ７０では、ステップＳ４０で取得したＮ番目のコンテンツのタイトルと、ステップＳ６０で取得したコンテンツ長、画質、値段、コンテンツプロバイダ名、及びコメントの情報とをＯＳＤ表示する。既に表示されているコンテンツがある場合は、その下に追加表示を行う。その後、ステップＳ８０へと進む。
【００３４】
ステップＳ８０では、変数Ｎに１を追加し、次のステップＳ９０に進む。
【００３５】
ステップＳ９０では、Ｎ番目のコンテンツが存在するか否かを判定する。Ｎ番目のコンテンツが存在すれば（ステップＳ９０のＹＥＳ）、ステップＳ４０に戻り、Ｎ番目のコンテンツが存在しなければ（ステップＳ９０のＮＯ）、ステップＳ１００へと進む。
【００３６】
ステップＳ１００では、少なくとも１つのコンテンツを既にＯＳＤ表示しているか否かを判定する。少なくとも１つのコンテンツを既にＯＳＤ表示していれば（ステップＳ１００のＹＥＳ）、ステップＳ１１０に進む、コンテンツを１つもＯＳＤ表示していなければ（ステップＳ１００のＮＯ）、本フロー動作を終了する。
【００３７】
ステップＳ１１０では、最上部のコンテンツをハイライト表示し、そのコンテンツが選択されていることをユーザに示す。なお、コンテンツが一つだけＯＳＤ表示されている場合は、そのコンテンツがハイライト表示されることになる。その後、ステップＳ１２０へと進む。
【００３８】
ステップＳ１２０では、ユーザがリモコン送信機（不図示）で何かキー入力を行うまで待機する。キー入力があれば（ステップＳ１２０のＹＥＳ）、ステップＳ１３０へと進み、何もキー入力がなければ（ステップＳ１２０のＮＯ）、ステップＳ１２０にとどまる。
【００３９】
ステップＳ１３０では、ステップＳ１２０で入力されたキーが上下キーに相当するか否かを判定する。上下キーに相当すれば（ステップ１３０のＹＥＳ）、ステップＳ１８０へと進み、上下キーに相当しなければ（ステップ１３０のＮＯ）、ステップＳ１４０へと進む。
【００４０】
ステップＳ１４０では、ステップＳ１２０で入力されたキーが戻るキーに相当するか否かを判定する。戻るキーに相当すれば（ステップ１４０のＹＥＳ）、ステップＳ１７０へと進み、戻るキーに相当しなければ（ステップ１４０のＮＯ）、ステップＳ１５０へと進む。
【００４１】
ステップＳ１５０では、ステップＳ１２０で入力されたキーが決定キーに相当するか否かを判定する。決定キーに相当すれば（ステップ１５０のＹＥＳ）、ステップＳ１６０へと進んで選択を確定させ、決定キーに相当しなければ（ステップ１５０のＮＯ）、ステップＳ１２０に戻る。
【００４２】
ステップＳ１６０では、ハイライト表示されているコンテンツの再生を開始し、その後ステップＳ１７０へと進む。
【００４３】
ステップＳ１７０では、ＯＳＤ表示を消去し、その後本フロー動作を終了する。
【００４４】
ステップＳ１８０では、複数のコンテンツがＯＳＤ表示されているか否かを判定する。複数のコンテンツがＯＳＤ表示されていれば（ステップＳ１８０のＹＥＳ）、ステップＳ１９０へと進み、複数のコンテンツがＯＳＤ表示されていなければ（ステップＳ１８０のＮＯ）、ステップＳ１２０に戻る。
【００４５】
ここで、上記のステップＳ１９０の処理が実行された後の、ディスプレイ１０の表示画面例を図３に示す。
【００４６】
図３に示す表示画面例では、画面の背景に現在視聴中のテレビ放送番組の映像が表示されており、その上に重畳される形で、現在視聴中のテレビ放送番組のタイトルと同一であるＶＯＤサービスのコンテンツに関する情報がリスト形式でＯＳＤ表示されている。一つのコンテンツに関する情報は、タイトル（Title）、コンテンツ長（Duration）、画質（Quality）、値段（Price）、この番組を提供するコンテンツプロバイダ名（Provider）、及びコンテンツプロバイダからのコメント（Provider Comment）によって構成されている。
【００４７】
図２に示すフローチャートから明らかなように、ユーザは、ＯＳＤ表示されているリスト（図３参照）の中から一つのコンテンツをリモコン操作により選択することによって、現在視聴中のテレビ放送番組にとってかわるＶＯＤサービスのコンテンツ、すなわち、現在視聴中のテレビ放送番組と同一又は類似のコンテンツを視聴することができる。したがって、本発明の第１実施形態に係るテレビ受像機は、ユーザがＶＯＤサービスの所望のコンテンツを選択することを支援することができる。
【００４８】
また、図２に示すフローチャートから明らかなように、視聴者がＯＳＤ表示されているリスト（図３参照）中のコンテンツを視聴することを望まず、現在視聴中のテレビ放送番組を続けて視聴する場合は、リモコン送信機（不図示）の戻るキーを押下することで、ＯＳＤ表示を消去し、現在視聴中のテレビ放送番組を引き続き視聴することができる。
【００４９】
＜第２実施形態＞
次に、本発明の第２実施形態に係るテレビ受像機について説明する。本発明の第２実施形態に係るテレビ受像機は、本発明の第１実施形態に係るテレビ受像機と同様に、図１に示す構成である。ただし、本発明の第２実施形態に係るテレビ受像機は、図２を示すフローチャート動作の代わりに、図４を示すフローチャート動作を行う。
【００５０】
図４において、図２と同一のステップには同一の符号を付し詳細な説明を省略する。図４を示すフローチャートは、図２を示すフローチャートからステップＳ４０〜Ｓ９０を取り除き、その代わりにステップＳ２１〜Ｓ２４を設けている。
【００５１】
ステップＳ２１では、ステップＳ２０で取得した番組タイトルの情報をネットワークＩ／Ｆ９経由でＶＯＤサービスを提供するコンテンツプロバイダのサーバ（不図示）に送信する。ＶＯＤサービスを提供するコンテンツプロバイダのサーバ（不図示）は、自己が提供するコンテンツの中に、送られてきた番組タイトルと同一のタイトルのコンテンツがあるかを検索し、同一のタイトルのコンテンツがなければその旨を検索結果として本発明の第２実施形態に係るテレビ受像機に送信し、同一のタイトルのコンテンツがあればそのコンテンツに関するタイトル名、コンテンツ長、画質、値段、コンテンツプロバイダ名、及びコメントの情報を検索結果として本発明の第２実施形態に係るテレビ受像機に送信する。なお、本実施形態においても、第１実施形態と同様、タイトルが同一であるか否かの判定は、文字列が厳密に一致する場合だけではなく、文字列が部分的に一致すれば同一であると判定しても構わない。
【００５２】
ステップＳ２２では、ネットワークＩ／Ｆ９経由でＶＯＤサービスを提供するコンテンツプロバイダのサーバ（不図示）から検索結果を受信したか否かを判定する。検索結果を受信すれば（ステップＳ２２のＹＥＳ）、次のステップＳ２３へと進み、検索結果を受信しなければ（ステップＳ２２のＮＯ）、ステップＳ２２にとどまる。
【００５３】
ステップＳ２３では、ステップＳ２２で受信した検索結果にコンテンツの情報が含まれているか否かを判定する。コンテンツの情報が含まれていれば（ステップＳ２３のＹＥＳ）、ステップＳ２２で受信したコンテンツのタイトル名、コンテンツ長、画質、値段、コンテンツプロバイダ名、及びコメントの情報をリスト形式でＯＳＤ表示し（ステップＳ２４）、その後ステップ１００へと進む。一方、コンテンツの情報が含まれていなければ（ステップＳ２３のＮＯ）、直接ステップＳ１００へと進む。
【００５４】
なお、本実施形態においても、第１実施形態と同様、ステップＳ１９０の処理が実行された後の、ディスプレイ１０の表示画面例は図３に示すようになる。
【００５５】
図４に示すフローチャートから明らかなように、ユーザは、ＯＳＤ表示されているリスト（図３参照）の中から一つのコンテンツをリモコン操作により選択することによって、現在視聴中のテレビ放送番組にとってかわるＶＯＤサービスのコンテンツ、すなわち、現在視聴中のテレビ放送番組と同一又は類似のコンテンツを視聴することができる。したがって、本発明の第２実施形態に係るテレビ受像機は、ユーザがＶＯＤサービスの所望のコンテンツを選択することを支援することができる。
【００５６】
また、図４に示すフローチャートから明らかなように、視聴者がＯＳＤ表示されているリスト（図３参照）中のコンテンツを視聴することを望まず、現在視聴中のテレビ放送番組を続けて視聴する場合は、リモコン送信機（不図示）の戻るキーを押下することで、ＯＳＤ表示を消去し、現在視聴中のテレビ放送番組を引き続き視聴することができる。
【００５７】
＜変形例＞
以上、本発明に係る実施形態について説明したが、本発明の範囲はこれに限定されるものではなく、発明の主旨を逸脱しない範囲で種々の変更を加えて実行することができる。変更のいくつかの例を以下に示す。
【００５８】
上述した実施形態では、電源投入時、視聴チャンネル変更時、及び、同一視聴チャンネルでの番組切り替わり時のそれぞれにおいて、現在視聴中のテレビ放送番組のタイトルと同一であるＶＯＤサービスのコンテンツが存在すれば、そのコンテンツに関する情報が必ずＯＳＤ表示される。しかしながら、このようなＯＳＤ表示が必要でない場合もあるので、例えば、ステップＳ１０とステップＳ２０の間に、ユーザによって特定のキー操作が実行されたか否かを判定するステップを新たに設け、特定のキー操作が実行されれば、ステップＳ２０へと進み、特定のキー操作が実行されなければ、新たに設けられたステップにとどまるようにしてもよく、また、例えば、ステップＳ２０以降の処理を行うモードとステップＳ２０以降の処理を行わないモードとを設け、ユーザのキー操作によりいずれかのモードが選択可能であるようにしてもよい。
【００５９】
また、テレビ放送番組を視聴中に、テレビ放送番組本体の映像にＯＳＤ表示が重畳されることを煩わしく感じるユーザもいるため、コマーシャルを検出する機能を備え、コマーシャルの映像にのみＯＳＤ表示を重畳させ、テレビ放送番組本体の映像にはＯＳＤ表示を重畳させないようにしてもよい。コマーシャルを検出する機能には、公知のコマーシャル検出技術を利用することができる。公知のコマーシャル検出技術としては、例えばテレビ放送番組の音声出力に基づいてコマーシャルを検出する技術が知られている（例えば、特開２００７−２６６６５３号公報参照）。
【００６０】
また、上述した第１実施形態では、ステップＳ７０で、現在視聴中のテレビ放送番組のタイトルと同一タイトルのコンテンツを１つずつＯＳＤ表示していたが、リストが完成するまでのＯＳＤ表示を煩わしく感じるユーザもいる。そこで、ステップＳ７０を取り除き、その代わりに、ステップＳ９０とステップＳ１００の間に、現在視聴中のテレビ放送番組のタイトルと同一タイトルのコンテンツ全てをＯＳＤ表示するステップを新たに設けてもよい。
【００６１】
また、上述した実施形態では、検索された順で検索結果がＯＳＤ表示されたが、これに代えて、コンテンツに関する情報の特定項目に基づく並び順で検索結果がＯＳＤ表示されてもよい。例えば、上記の特定項目を値段（Price）にすると、ユーザはコンテンツの値段（Price）重視した選択をより容易に行うことができる。なお、上記の特定項目は、ユーザのキー操作により変更可能であることが望ましい。また、上記の特定項目は、単独の項目であっても、複数の項目の組み合わせであってもよい。また、検索された順で検索結果をＯＳＤ表示するモードと、コンテンツに関する情報の特定項目に基づく並び順で検索結果をＯＳＤ表示するモードとを設け、ユーザのキー操作によりいずれかのモードが選択可能であるようにしてもよい。
【００６２】
また、上述した実施形態では、現在視聴中のテレビ放送番組のタイトルと同一タイトルのコンテンツを検索したが、これに代えて、現在視聴中のテレビ放送番組と比較的関連性が弱いコンテンツも抽出されるように、現在視聴中のテレビ放送番組の出演者情報と同一出演者情報のコンテンツを検索するようにしてもよい。これとは逆に、現在視聴中のテレビ放送番組と比較的関連性が強いコンテンツが抽出されるように、現在視聴中のテレビ放送番組のタイトル及び出演者情報と同一タイトル及び出演者情報のコンテンツを検索するようにしてもよい。なお、現在視聴中のテレビ放送番組の出演者情報の取得方法としては、例えば時計機能を有するＣＰＵ７が電子番組表（ＥＰＧ）から現在視聴中のテレビ放送番組の出演者情報を取得する方法が考えられる。また、出演者情報が同一であるか否かの判定は、文字列が厳密に一致する場合だけではなく、文字列が部分的に一致すれば同一であると判定しても構わない。
【００６３】
また、上述した第１実施形態と上述した第２実施形態とを組み合わせて実施するようにしてもよい。すなわち、或るＶＯＤサービスが提供しているコンテンツに関しては、テレビ放送受信機側で検索を行い、別のＶＯＤサービスが提供しているコンテンツに関しては、ＶＯＤサービス側で検索を行うようにしてもよい。
【符号の説明】
【００６４】
１  チューナ部
２  映像・音声処理部
３  ＯＳＤ出力部
４  表示デバイス
５  音声出力部
６  メモリ
７  ＣＰＵ
８  リモコンＩ／Ｆ
９  ネットワークＩ／Ｆ
１０  ディスプレイ
１１  スピーカ
１２  バス
【図１】
2011171822.tif 000003
【図２】
2011171822.tif 000004
【図３】
2011171822.tif 000005
【図４】
2011171822.tif 000006